(57)【要約】【課題】  従来品は、温水と冷水が別々の独立した抽出バルブにて抽出している。よって、例えば、薬を飲むときに必要なぬるま湯を作ろうとすれば、一方の抽出バルブから冷水をコップ内に入れ、他方の抽出バルブから温水をコップに入れてぬるま湯を作っているのが現状で、面倒であり、望む温度のぬるま湯が作れない。【解決手段】  ウオーターサーバーの湯水栓と冷水栓の間に取り付ける混合栓本体の下部に吐水筒を設け、両側に湯水栓連結部と冷水栓連結部を設けると共に、中央筒に湯水と冷水を混合する切換バルブを設けてなることを特徴とする。【選択図】図１
2012001274.tif 000002
【特許請求の範囲】
【請求項１】
ウオーターサーバーの湯水栓と冷水栓の間に取り付ける混合栓本体の下部に吐水筒を設け、両側に湯水栓連結部と冷水栓連結部を設けると共に、中央筒に湯水と冷水を混合する切換バルブを設けてなることを特徴とするウオーターサーバー用湯冷混合栓。
【請求項２】
中央筒の側面に湯水流入口と冷水流入口を設けると共に、この湯水流入口と冷水流入口とに対応すべく、切換バルブに湯水通口と冷水通口を設けてなることを特徴とする請求項１記載のウオーターサーバー用湯冷混合栓。
【請求項３】
湯水通口及び冷水通口が、下方を開口してなることを特徴とする請求項１又は２記載のウオーターサーバー用湯冷混合栓。
【請求項４】
湯水通口及び冷水通口が、湯水通孔及び冷水通孔を穿設し、周囲を閑塞する閉塞溝を設ける共に、切換バルブのバルブ本体内に連通孔を設けてなることを特徴とする請求項１又は２記載のウオーターサーバー用湯冷混合栓。
【請求項５】
切換バルブの湯水通口と冷水通口の角度を水平軸心に対して４０°から５０°とすることを特徴とする請求項２、３又は４記載のウオーターサーバー用湯冷混合栓。
【請求項６】
切換バルブを上下動すべく操作レバーを設けてなることを特徴とする請求項１、２、３、４又は５記載のウオーターサーバー用湯冷混合栓。
【請求項７】
操作レバーを下げることにより切換バルブを上昇させると共に、操作レバーに安全具を設けてなることを特徴とする請求項６記載のウオーターサーバー用湯冷混合栓。
【請求項８】
切換バルブの角度により、ぬるま湯の温度を調整できることを特徴とする請求項１、２，３、４、５、６又は７記載のウオーターサーバー用湯冷混合栓。
【請求項９】
湯水栓と湯水栓連結部を、冷水栓と冷水栓連結部を連結する偏心連結具を設けてなることを特徴とする請求項１、２、３、４、５、６、７又は８記載のウオーターサーバー用湯冷混合栓。
【発明の詳細な説明】
【技術分野】
【０００１】  本発明は、ウオーターサーバーの湯水栓及び冷水栓に連結してぬるま湯を作るためのウオーターサーバー用湯冷混合栓に関するものである。【０００２】  従来の技術として、ディスペンサー本体の上部に所定容量の飲料水を収容した飲料水供給容器を載置する容器載置部と、その下部に冷水タンクを収容する冷水タンク設置部と、冷水タンク設置部の下部に温水タンクを設置する温水タンク設置部とを備え、ディスペンサー本体側面に冷水タンク及び温水タンクから冷水又は温水を抽出する冷水・温水抽出部を設けた飲料水ディスペンサーにおいて、前記冷水タンク設置部に、冷水タンク内の飲料水を冷却させる冷却機構を設置すると共に温水タンクへの給水管を配設し、前記温水タンクを電磁誘導加熱に対応する金属材料により形成すると共に、前記温水タンク設置部に前記温水タンクを誘導加熱する電磁誘導加熱装置を設置したことを特徴とする飲料水ディスペンサーがある。（特許文献１参照）【０００３】  また、別の従来技術として、飲料水容器を接続手段を介して配管系統に接続して飲料水を供給するディスペンサであって、前記配管系統中に飲料水を貯留するタンクを備え、該貯留タンクが、冷却装置を有する冷水タンクと加熱装置を有する温水タンクとから成り、かつ、前記飲料水容器を冷却する装置を有する飲料水のディスペンサにおいて、前記冷水タンクを飲料水容器の下方に配置し、さらに、温水タンクを冷水タンクの下方に配置して、前記接続手段を介在させて温水タンクと冷水タンクを連通した第１の配管の接続手段と温水タンクの途中に温水ポンプを配設するとともに、冷水タンクと温水タンクの下部を開閉弁を介在させた第２の配管で連通し、前記開閉弁を閉塞して、冷水タンクから冷水を、温水タンクから温水を供給し、前記開閉弁を開放し、前記温水ポンプを駆動して温水タンクの温水を前記第１の配管から冷水タンク、第２の配管、温水タンクへと循環させることにより、配管系統内の殺菌を可能にしたことを特徴とする飲料水のディスペンサがある。（特許文献２参照）
【先行技術文献】
【特許文献】
【０００４】
【特許文献１】特開２００９−２４９０３３号公報（図１参照）
【特許文献２】特開２００６−１９９３５２号公報（図１参照）
【発明の概要】
【発明が解決しようとする課題】
【０００５】  上記前者及び後者とも、温水と冷水が別々の独立した抽出バルブにて抽出している。
よって、例えば、薬を飲むときに必要なぬるま湯を作ろうとすれば、一方の抽出バルブから冷水をコップ内に入れ、他方の抽出バルブから温水をコップに入れてぬるま湯を作っているのが現状で、面倒であり、望む温度のぬるま湯が作れない。【０００６】  本発明は、このような従来の構成が有していた問題を解決しようとするものであり、ウオーターサーバーの温水栓と冷水栓の間に取り付けるもので、切換バルブにより、簡単にぬるま湯を作ることができる。また、切換バルブの角度によりぬるま湯の温度を自分の好みに調整できる。
さらに、操作レバーに安全具を設けることにより、子供があやまって熱湯を吐出することがないウオーターサーバー用湯冷混合栓を目的とする。
【課題を解決するための手段】
【０００７】  本発明は、上記目的を達成するために、ウオーターサーバーの湯水栓と冷水栓の間に取り付ける混合栓本体の下部に吐水筒を設け、両側に湯水栓連結部と冷水栓連結部を設けると共に、中央筒に湯水と冷水を混合する切換バルブを設けてなること。中央筒の側面に湯水流入口と冷水流入口を設けると共に、この湯水流入口と冷水流入口とに対応すべく、切換バルブに湯水通口と冷水通口を設けてなること。温水通口及び冷水通口が下方に開口してなる。温水通孔と閉塞溝からなる湯水通口と、冷水通孔と閉塞溝からなる冷水通口と連通孔を設けてなる。切換バルブの湯水通口と冷水通口の角度を水平軸心に対して４０°から５０°とすること。切換バルブを上下動すべく操作レバーを設けてなること。操作レバーを下げることにより切換バルブを上昇させると共に、操作レバーに安全具を設けてなること。切換バルブの角度により、ぬるま湯の温度を調整できること。湯水栓と湯水栓連結部を、冷水栓と冷水栓連結部を連結する偏心連結具を設けてなること。
【発明の効果】
【０００８】１）ウオターサーバーの湯水栓と冷水栓の間に取り付けることができ、切換バルブにより簡単にぬるま湯を作ることができる。
２）切換バルブの温水通口と冷水通口とにより、温水・冷水を吐出（吐水）することができると共に、ぬるま湯を作ることができる。
３）温水通孔と冷水通孔と連通孔とにより一層効率的にぬるま湯（混合）を作ることが出来る。
４）切換バルブの角度により、お好みの温度のぬるま湯を作ることができる。
５）操作レバーにより吐水と止水を簡単に行うことができる。
６）安全具により、特に子供があやまって熱湯（温水）を吐出（吐水）することがない。
７）偏心連結具により温水栓の取付ニップルと冷水栓の取付ニップルのピッチの長短に合わせて取り付けることができる。（従来の各種ディスペンサーに取り付けられる）
【図面の簡単な説明】
【０００９】
【図１】  本発明の第１実施例を示すウオーターサーバー用湯冷混合栓の全体構成図。
【図２】  本発明の第１実施例を示すウオーターサーバー用湯冷混合栓の操作レバーの要部斜視図。
【図３】  本発明の第１実施例を示すウオーターサーバー用湯冷混合栓の安全具のスライド板の平面図。
【図４】  本発明の第１実施例を示すウオーターサーバー用湯冷混合栓の安全具のスライド板の正面図。
【図５】  本発明の第１実施例を示すウオーターサーバー用湯冷混合栓の安全具のスライド板の左側面図。
【図６】  本発明の第１実施例を示すウオーターサーバー用湯冷混合栓の操作レバーの左側面図。
【図７】  本発明の第１実施例を示すウオーターサーバー用湯冷混合栓の操作レバーの作動状態図。
【図８】  本発明の第１実施例を示すウオーターサーバー用湯冷混合栓の切換バルブと操作レバーの止水状態の構成図。
【図９】  本発明の第１実施例を示すウオーターサーバー用湯冷混合栓の切換バルブの止水状態の正面図。
【図１０】  本発明の第１実施例を示すウオーターサーバー用湯冷混合栓の操作レバーの止水状態の正面図。
【図１１】  本発明の第１実施例を示すウオーターサーバー用湯冷混合栓の切換バルブの止水状態の右側面図。
【図１２】  本発明の第１実施例を示すウオーターサーバー用湯冷混合栓の切換バルブの止水状態の左側面図。
【図１３】  本発明の第１実施例を示すウオーターサーバー用湯冷混合栓の切換バルブと操作レバーの吐水状態の作動図。
【図１４】  本発明の第１実施例を示すウオーターサーバー用湯冷混合栓の切換バルブの角度０の吐水状態の正面図。
【図１５】  本発明の第１実施例を示すウオーターサーバー用湯冷混合栓の切換バルブの角度０の冷水吐水状態の右側面図。
【図１６】  本発明の第１実施例を示すウオーターサーバー用湯冷混合栓の切換バルブの角度０の湯水吐水状態の左側面図。
【図１７】  本発明の第１実施例を示すウオーターサーバー用湯冷混合栓の切換バルブ（操作レバー）の右角度４５°の作動図。
【図１８】  本発明の第１実施例を示すウオーターサーバー用湯冷混合栓の切換バルブ（操作レバー）の右角度４５°の冷水吐水状態の右側面図。
【図１９】  本発明の第１実施例を示すウオーターサーバー用湯冷混合栓の切換バルブ（操作レバー）の右角度４５°の湯水止水状態の左側面図。
【図２０】  本発明の第１実施例を示すウオーターサーバー用湯冷混合栓の切換バルブ（操作レバー）の左角度４５°の作動図。
【図２１】  本発明の第１実施例を示すウオーターサーバー用湯冷混合栓の切換バルブ（操作レバー）の左角度４５°の湯水吐水状態の左側面図。
【図２２】  本発明の第１実施例を示すウオーターサーバー用湯冷混合栓の切換バルブ（操作レバー）の左角度４５°の冷水止水状態の右側面図。
【図２３】  本発明の第１実施例を示すウオーターサーバー用湯冷混合栓の偏心連結具の構成図。
【図２４】  本発明の第１実施例を示すウオーターサーバー用湯冷混合栓の偏心連結具の取付状態図。
【図２５】  本発明の第２実施例を示すウオーターサーバー用湯冷混合栓の切換バルブの斜視図。
【図２６】  本発明の第２実施例を示すウォーターサーバー用湯冷混合栓の切換バルブの角度０の吐水状態の正面図。
【図２７】  従来のウオーターサーバーの構成図。
【発明を実施するための形態】
【００１０】  １は、ウオーターサーバーの湯水栓（取付ニップル）と冷水栓（取付ニップル）の間に取り付けるウオーターサーバー用湯冷混合栓である。
２は、下部の先端に雌ネジ部２ａ１を設けた吐水筒２ａを設け、両側の後端に冷水流入口雌ネジ部２ｃ１を設けた冷水栓連結部２ｃと湯水流入口雌ネジ部２ｂ１を設けた湯水栓連結部２ｂを設けると共に、中央筒２ｄ内の側面に湯水流入口２ｄ１と冷水流入口２ｄ２を設けた混合栓本体である。
３は、上記中央筒２ｄに設けてなる取付溝３ａ１を形設した支持軸３ａとバルブ本体３ｂとからなる切換バルブで、バルブ本体３ｂの前面左右に、上記湯水流入口２ｄ１と冷水流入口２ｄ２に対応する下方を開口した湯水通口３ｂ１と下方を開口した冷水通口３ｂ２を設けてある。また、Ｏリング３ｃを設けてある。
なお、通常湯水流入口２ｄ１と冷水流入口２ｄ２の下方に湯水通口３ｂ１と冷水通口３ｂ２に位置してある。
また、支持軸３ａには、後述する操作レバーを取り付ける取付溝３ａ１を設けてある。
４は、座金４ｂとスプリング４ｃとキャップ４ｄとからなる切換バルブ支持具である。
５は、操作レバーで、上記取付溝３ａ１に係止する係止突起部５ａ２を突設し、溝５ｂ１を２列形設した操作レバー後部５ｂと蝶設してなる溝５ａ１を２列形設した操作レバー前部５ａとからなり、溝５ａ１・５ｂ１に差し込んで前後にスライドするレール５ｃ１・５ｃ１を設けたスライド板５ｃとスプリング５ｃ２にて安全具５ｄを構成し、この安全具５ｄにて保持してなる。（図２〜図７）
【００１１】  上記ウオーターサーバー用湯冷混合栓１の使用例（作動例）について説明する。
通常、操作レバー５は操作レバー前部５ａと操作レバー後部５ｂにおいて蝶設した状態であり、このため操作レバー後部５ｂは下方へ折れ曲がっている位置にあるので操作不可能（安全の上で）となっている（未使用時の状態）
また、スライド板５ｃを操作レバー後部５ｂから操作レバー前部５ａに移動（水平状）することで湯水の吐出が可能な状態（７図）で、操作レバー５の角度が０°及び右４０°から５０°、左４０°から５０°の位置においてもこの時切換バルブ３は下方に位置しており、湯水流入口２ｄ１と湯水通口３ｂ１、冷水流入口２ｄ２と冷水通口３ｂ２は連通していないため止水状態である。（図８〜図１２）
【００１２】  つぎに、操作レバー角度０°の状態において操作レバー５を下方に移動させることにより、切換バルブ３（支持軸３ａとバルブ本体３ｂ）を上昇させる。
この時、湯水流入口２ｄ１と湯水通口３ｂ１、冷水流入口２ｄ２と冷水通口３ｂ２は約５０％づつの湯水Ｏと冷水Ｒが混合したぬるま湯Ｎを吐出させるものである。（図１３〜図１６）
【００１３】  上記と同様に操作レバー５を下方に移動させると共に、右４５°回転させることにより、冷水流入口２ｄ２と冷水通口３ｂ２は約８０％連通し、湯水流入口２ｄ１と湯水通口３ｂ１は塞がれており、結果冷水Ｒ１のみが吐水するものである。（図１７〜図１９）
【００１４】  上記と同様に操作レバー５を下方に移動させると共に、左４５°回転させることにより、湯水流入口２ｄ１と湯水通口３ｂ１は約８０％連通し、冷水流入口２ｄ２と冷水通口３ｂ２は塞がれており、結果温水Ｏ１のみが吐水するものである。（図２０〜図２２）
【００１５】  なおウオーターサーバー用湯冷混合栓１は、一般に市販されているウオーターサーバーＷＳの湯水栓ＯＳ（取付ニップル）と冷水栓ＲＳ（取付ニップル）間に取り付けるもので、略Ｚ形の偏心連結具本体６ａの上端に雌ネジ部２ｃ１（雌ネジ部２ｂ１）と連結する連結ナット６ｂを設けると共に、下端に冷水栓ＲＳ（取付ニップルＴＮ）＜温水ＯＳ（取付ニップルＴＮ）＞と連結する連結ナット６ｃを設けてなる偏心連結具６にて取り付ける。
なお、必要に応じてパッキンＯＲにて止水する。
【００１６】  上記実施例において、湯水流入口と冷水流入口の大きさ及び湯水通口や冷水通口の大きさは、必要に応じて決めればよく、各吐水量（吐出量）も特に限定するものではない。
【００１７】  つづいて、第２実施例のウオーターサーバー用湯冷混合栓を説明する。
このウオーターサーバー用湯冷混合栓は、切換バルブ２３において、前記と同様な中央筒２ｄに設けてなる取付溝２３ａ１を形設した支持軸２３ａとバルブ本体２３ｂとからなるもので、バルブ本体２３ｂの前面左右に、前記と同様な湯水流入口２ｄ１と冷水流入口２ｄ２に対応する、湯水通孔２３ｂ１ａを穿設し、周囲を閑塞溝２３ｂ１ｂにて形設した温水通口２３ｂ１を設けると共に、冷水通孔２３ｂ２ａを穿設し、周囲を閑塞溝２３ｂ２ｂにて形設した冷水通口２３ｂ２を設け、バルブ本体２３ｂ内に連通する連通孔２３ｂ３を設けてなるものである。
また、Ｏリング２３ｃを設けてある。
【００１８】  上記ウオーターサーバー用湯冷混合栓の使用例（作動例）について説明する。
前記と同様に、操作レバー角度０°の状態において、操作レバー５を下方に移動させることにより、切換バルブ２３を上昇させる。
このとき、湯水流入口２ｄ１と閑塞溝２３ｂ１、冷水流入口２ｄ２と閑塞溝２３ｂ２は約５０％の湯水０１が湯水通孔２３ｂ１ａを、冷水Ｒ１が冷水通孔２３ｂ２ａを各々通過して連通孔２３ｂ３にて混合され、ぬるま湯Ｎ１を吐出するものである（図２５〜図２６）
【００１９】  上記実施例において、上記以外の作動状態は、前記第１実施例のウオーターサーバー用湯冷混合栓１と同様である。
また、閑塞溝や湯水流入口・冷水流入口、連通孔２３ｂ３の大きさ等は、特に限定するものではない。
【符号の説明】
【００２０】  １―――ウオーターサーバー用湯冷混合栓
２―――混合栓本体
３―――切換バルブ
４―――切換バルブ支持具
５―――操作レバー
６―――偏心連結具
ＷＳ―――ウオーターサーバー
ＯＳ―――温水栓
ＲＳ―――冷水栓
ＴＮ―――取付ニップル（ウオーターサーバー側）
【図１】
2012001274.tif 000003
【図２】
2012001274.tif 000004
【図３】
2012001274.tif 000005
【図４】
2012001274.tif 000006
【図５】
2012001274.tif 000007
【図６】
2012001274.tif 000008
【図７】
2012001274.tif 000009
【図８】
2012001274.tif 000010
【図９】
2012001274.tif 000011
【図１０】
2012001274.tif 000012
【図１１】
2012001274.tif 000013
【図１２】
2012001274.tif 000014
【図１３】
2012001274.tif 000015
【図１４】
2012001274.tif 000016
【図１５】
2012001274.tif 000017
【図１６】
2012001274.tif 000018
【図１７】
2012001274.tif 000019
【図１８】
2012001274.tif 000020
【図１９】
2012001274.tif 000021
【図２０】
2012001274.tif 000022
【図２１】
2012001274.tif 000023
【図２２】
2012001274.tif 000024
【図２３】
2012001274.tif 000025
【図２４】
2012001274.tif 000026
【図２５】
2012001274.tif 000027
【図２６】
2012001274.tif 000028
【図２７】
2012001274.tif 000029